(57)【要約】【課題】内部が汚れにくく、かつ、収納物の取出しに支障を生じにくい収納庫付き墓を提供する。【解決手段】収納庫付き墓１０は、基台１１と芝台１２と棹石１３と拝石１４と収納庫１５と花立１６とを有している。収納庫１５および花立１６は、基台１１の前部側の上部で拝石１４の隣に設けられている。収納庫１５および花立１６は、石材により一体的に形成されている。収納庫１５は、容器と蓋部１５ｂとを有している。容器は、直方体状の収納部を有し、上部に長方形状の開口を有している。開口は、容器の上面から上側に突出している。容器は、底面に水抜き穴を有している。蓋部１５ｂは、長方形状の上板部と縁部とを一体的に有している。蓋部１５ｂは、開口を開閉可能に塞ぐことができる。【選択図】図１
0003231015.tif 000002
【実用新案登録請求の範囲】
【請求項１】
収納庫を有し、前記収納庫は、上部に開口を有する容器と、前記開口を開閉可能に塞ぐ蓋部とを有することを特徴とする収納庫付き墓。
【請求項２】
前記容器は花立と一体的に形成されていることを、特徴とする請求項１記載の収納庫付き墓。
【考案の詳細な説明】
【技術分野】
【０００１】
本考案は、収納庫付き墓に関する。
【背景技術】
【０００２】
従来、墓石の前に設置して仏具や供え物を収納するための墓用仏具収納台として、円筒状の回転式収納庫が鉛直軸回りに回転可能に支持されたものが開示されている（例えば、特許文献１参照）。
【先行技術文献】
【特許文献】
【０００３】
【特許文献１】特開２００４−１００３４１号公報
【考案の概要】
【考案が解決しようとする課題】
【０００４】
しかしながら、特許文献１に記載の墓用仏具収納台では、サイドブロックと回転式収納庫との間に回転のための隙間があるため、その隙間から雨水や泥、虫などが回転式収納庫に入って内部が汚れやすいという課題があった。また、経年により泥などが詰まって回転式収納庫の回転に支障をきたし、仏具等を取り出しにくくなるという課題もあった。
【０００５】
本考案は、このような課題に着目してなされたもので、内部が汚れにくく、かつ、収納物の取出しに支障を生じにくい収納庫付き墓を提供することを目的とする。
【課題を解決するための手段】
【０００６】
上記目的を達成するために、本考案に係る収納庫付き墓は、収納庫を有し、前記収納庫は、上部に開口を有する容器と、前記開口を開閉可能に塞ぐ蓋部とを有することを特徴とする。
本考案に係る収納庫付き墓は、収納庫の容器の内部に、上部の開口から茶わんや仏具などの収納物を収納することができる。上部の開口は蓋部で塞がれるため、内部が汚れにくく、かつ、収納物の取出しに支障を生じにくい。
本考案に係る収納庫付き墓において、前記容器は花立と一体的に形成されていてもよい。この場合、花立の設置スペースを抑えることができる。
【考案の効果】
【０００７】
本考案によれば、内部が汚れにくく、かつ、収納物の取出しに支障を生じにくい収納庫付き墓を提供することができる。
【図面の簡単な説明】
【０００８】
【図１】本考案の第１の実施の形態の収納庫付き墓の斜視図である。
【図２】図１の収納庫付き墓の収納庫の分解斜視図である。
【図３】図２の収納庫の容器の縦断面図である。
【図４】図２の収納庫の蓋部の底面図である。
【図５】本考案の第２の実施の形態の収納庫付き墓の斜視図である。
【図６】図５の収納庫付き墓の収納庫の分解斜視図である。
【図７】図６の収納庫の容器の縦断面図である。
【考案を実施するための形態】
【０００９】
以下、図面に基づき、本考案の実施の形態について説明する。
図１〜図４は、本考案の第１の実施の形態の収納庫付き墓を示している。
図１に示すように、収納庫付き墓１０は、基台１１と芝台１２と棹石１３と拝石１４と収納庫１５と花立１６とを有している。
基台１１は、長方形の板状の石材から成る。基台１１は、納骨堂に通じる開口を有している。芝台１２は、直方体状の石材から成り、基台１１の後部側の上部に設けられている。棹石１３は、石材から成り、芝台１２の上部に設けられている。拝石１４は、長方形の板状の石材から成り、開口を塞ぐよう基台１１の前部側の上部に設けられている。
【００１０】
収納庫１５および花立１６は、基台１１の前部側の上部で拝石１４の隣に設けられている。図１では、拝石１４は向かって右側に、収納庫１５および花立１６は左側に配置されている。収納庫１５および花立１６は、石材により一体的に形成され、全体が直方体状をなしている。収納庫１５は、花立１６と芝台１２との間に配置されている。図２に示すように、収納庫１５は、容器１５ａと蓋部１５ｂとを有している。容器１５ａの上面は、花立１６に対して低く、段差をなしている。容器１５ａは、直方体状の収納部１５ｃを有し、上部に長方形状の開口１５ｄを有している。開口１５ｄは、容器１５ａの上面から上側に突出している。図３に示すように、容器１５ａは、底面に水抜き穴１５ｅを有している。
【００１１】
図２および図４に示すように、蓋部１５ｂは、長方形状の上板部１５ｆと縁部１５ｇとを一体的に有している。縁部１５ｇは、上板部１５ｆの３辺から同一側に突出し、上板部１５ｆに対し直角に設けられている。蓋部１５ｂは、開口１５ｄを開閉可能に塞ぐことができる。蓋部１５ｂの対向する縁部１５ｇの外面には、持ち手となる凹部１５ｈが形成されている。蓋部１５ｂで収納部１５ｃを閉じたとき、縁部１５ｇは開口１５ｄの３辺を覆い、上板部１５ｆおよび縁部１５ｇの端部が花立１６の側面に当接するようになっている。蓋部１５ｂで収納部１５ｃを閉じたとき、蓋部１５ｂの上面と花立１６の上面は同一平面となるように高さが設定されている。花立１６は、上面から底面にかけて貫通する円筒孔１６ａを有し、円筒孔１６ａにステンレス製の花立用カップ１７を収納可能となっている。
【００１２】
第１の実施の形態の収納庫付き墓１０の収納庫１５は、容器１５ａの内部に、上部の開口１５ｄから茶わんや仏具などの収納物を収納することができる。上部の開口１５ｄは、蓋部１５ｂで塞がれるため、内部が汚れにくく、かつ、収納物の取出しに支障を生じにくい。収納庫１５および花立１６は一体的に形成されているため、花立１６の設置スペースを抑えることができる。
【００１３】
図５〜図７は、本考案の第２の実施の形態の収納庫付き墓を示している。
第２の実施の形態の収納庫付き墓において、第１の実施の形態の収納庫付き墓と同一の部材には同一の符号を付し、重複した説明を省略する。
収納庫付き墓２０は、基台１１と芝台１２と棹石１３と拝石１４と収納庫２１と花立２２とを有している。第２の実施の形態の収納庫付き墓２０では、収納庫２１と花立２２とが分かれている。図５では、収納庫２１は拝石１４の向かって右側に、花立２２は左側に配置されている。
【００１４】
図６に示すように、収納庫２１は、全体が横長の直方体状をなしている。収納庫２１は、容器２１ａと蓋部２１ｂとを有している。容器２１ａは、直方体状の収納部２１ｃを有し、上部に長方形状の開口２１ｄを有している。開口２１ｄは、容器２１ａの上面から上側に突出している。図７に示すように、容器２１ａは、底面に水抜き穴２１ｅを有している。
【００１５】
蓋部２１ｂは、長方形状の上板部２１ｆと縁部２１ｇとを一体的に有している。縁部２１ｇは、上板部２１ｆの周囲４辺から同一側に突出し、上板部２１ｆに対し直角に設けられている。蓋部２１ｂは、開口２１ｄを開閉可能に塞ぐことができる。蓋部２１ｂの対向する縁部２１ｇの外面には、持ち手となる凹部２１ｈが形成されている。
花立２２は、全体が縦長の直方体状をなしている。
【００１６】
第２の実施の形態の収納庫付き墓２０の収納庫２１でも、容器２１ａの内部に上部の開口２１ｄから茶わんや仏具などの収納物を収納することができる。上部の開口２１ｄは蓋部２１ｂで塞がれるため、内部が汚れにくく、かつ、収納物の取出しに支障を生じにくい。
【符号の説明】
【００１７】
１０、２０  収納庫付き墓
１１  基台
１２  芝台
１３  棹石
１４  拝石
１５、２１  収納庫
１５ａ、２１ａ  容器
１５ｂ、２１ｂ  蓋部
１５ｃ、２１ｃ  収納部
１５ｄ、２１ｄ  開口
１５ｅ、２１ｅ  水抜き穴
１５ｆ、２１ｆ  上板部
１５ｇ、２１ｇ  縁部
１５ｈ、２１ｈ  凹部
１６、２２  花立
１６ａ  円筒孔
１７  花立用カップ
【図１】
0003231015.tif 000003
【図２】
0003231015.tif 000004
【図３】
0003231015.tif 000005
【図４】
0003231015.tif 000006
【図５】
0003231015.tif 000007
【図６】
0003231015.tif 000008
【図７】
0003231015.tif 000009